(57)【要約】      （修正有）【課題】本発明は、メモリーカード用コネクタに関し、製品のコストダウンと、耐久性の向上による製品寿命の長期化を図ることが課題である。【解決手段】カード用収納シェル６にメモリーカードを収納してそのカード用収納シェル６を絶縁本体５に向けて回転させ閉蓋することで前記メモリーカードの接続端子とコンタクト２の一端部とが電気的に接続されるメモリーカード用コネクタ１において、前記金属製のホールドダウン３に前記カード用収納シェル６を当該カード用収納シェル６を回転自在に支持する回転軸受け部とを一体に設け、カード用収納シェル６を金属製材により形成し、その一部に前記ロック用係合部に係合するロック用係合部６ｃと前記回転軸受けで軸支される回転軸６ｂを設けたメモリーカード用コネクタ１とするものである。【選択図】図１
2008016321.tif 000002
【特許請求の範囲】
【請求項１】
コンタクトの一部を埋設して一体にして併設するとともにプリント基板固着用のホールドダウンの一部を埋設してメモリーカード用の収納部を有してなる合成樹脂製の絶縁本体と、該絶縁本体の一端部で回転自在に連結されて支持されメモリーカードを収納する収納部を有するカード用収納シェルとでなり、前記カード用収納シェルにメモリーカードを収納してそのカード用収納シェルを前記絶縁本体に向けて回転させ閉蓋することで前記メモリーカードの接続端子と前記コンタクトの一端部とが電気的に接続されるメモリーカード用コネクタにおいて、
前記金属製のホールドダウンに前記カード用収納シェルをロックするロック用係合部と当該カード用収納シェルを回転自在に支持する回転軸受け部とを一体に設け、
前記カード用収納シェルを金属製材により形成し、その一部に前記ロック用係合部に係合するロック用係合部と前記回転軸受けで軸支される回転軸を設けたこと、
を特徴とするメモリーカード用コネクタ。
【請求項２】
ホールドダウンにおけるロック用係合部は、バネ性を有すること、
を特徴とする請求項１に記載のメモリーカード用コネクタ。
【請求項３】
ホールドダウンは、絶縁本体にその一部を埋設して固着された場合に、当該ホールドダウンの内側面の一部が当該絶縁本体のメモリーカード用の収納部を形成する側壁の一部となっていること、
を特徴とする請求項１または２に記載のメモリーカード用コネクタ。  
【発明の詳細な説明】
【技術分野】
【０００１】
本発明は、例えば、小型の補助記憶装置であるメモリーカードを装着するメモリーカード用コネクタに関するものである。
【背景技術】
【０００２】
従来、情報を記録してパーソナルコンピュータや携帯電話、印刷機等との間で前記情報をやり取りするメモリーカードは、プリント基板に実装して電気的接続を測るために、スロットコネクタが使用される。このスロットコネクタは、コンタクトを併設する合成樹脂製の絶縁本体がホールドダウン等の固定手段を介してプリント基板に半田付けされて実装されており、当該絶縁本体にメモリーカドを収納するカード用収納部材が別体として設けられている。
【０００３】
前記カード用収納部材２０は、図５乃至図６に示すように、例えば、前後方向に若干移動可能で、閉じた状態と開いた状態とで略１８０°回転するヒンジ２１手段により回転自在にして、当該カード用収納部材２２の一端部２２ａが前記絶縁本体２３の端部２３ａに連結されている。このように、メモリーカードを収納して電気的接続を図るコネクタや、メモリーカードを持ち運びする時に使用するカード用ホルダー（特許文献１参照）が知られている。
【特許文献１】特開平７−１４６３０５号公報
【発明の開示】
【発明が解決しようとする課題】
【０００４】
しかし、従来のメモリーカード用コネクタやホルダーにおいては、前記ヒンジ２１手段において、回転用軸が金属製であって、この回転用軸が係合する孔を有するカード用収納部材が合成樹脂製で形成されており、また、このカード収納部材の閉蓋時のロック部においても、カード用収納部材のロック用突起部が合成樹脂製であり、このロック用突起部に係合する絶縁本体側に埋設されたロック部材が金属製で形成されており、これらの耐久性が劣ることと、合成樹脂の割れ等が発生するおそれがあって、寿命回数が少ないという課題がある。本発明に係るメモリーカード用コネクタは、このような課題を解決するために提案されたものである。
【課題を解決するための手段】
【０００５】
本発明に係るメモリーカード用コネクタの上記課題を解決して目的を達成するための要旨は、コンタクトの一部を埋設して一体にして併設するとともにプリント基板固着用のホールドダウンの一部を埋設してメモリーカード用の収納部を有してなる合成樹脂製の絶縁本体と、該絶縁本体の一端部で回転自在に連結されて支持されメモリーカードを収納する収納部を有するカード用収納シェルとでなり、前記カード用収納シェルにメモリーカードを収納してそのカード用収納シェルを前記絶縁本体に向けて回転させ閉蓋することで前記メモリーカードの接続端子と前記コンタクトの一端部とが電気的に接続されるメモリーカード用コネクタにおいて、前記金属製のホールドダウンに前記カード用収納シェルをロックするロック用係合部と当該カード用収納シェルを回転自在に支持する回転軸受け部とを一体に設け、前記カード用収納シェルを金属製材により形成し、その一部に前記ロック用係合部に係合するロック用係合部と前記回転軸受けで軸支される回転軸を設けたことである。
また、前記ホールドダウンにおけるロック用係合部は、バネ性を有すること、；
更に、前記ホールドダウンは、絶縁本体にその一部を埋設して固着された場合に、当該ホールドダウンの内側面の一部が当該絶縁本体のメモリーカード用の収納部を形成する側壁の一部となっていること、；
を含むものである。
【発明の効果】
【０００６】
本発明のメモリーカード用コネクタによれば、金属製のホールドダウンと、金属製のカード用収納シェルとにより、当該カード用収納シェルを回転自在に支持する部分において、回転軸受け部及び回転軸を鋼材等の金属製で形成したので、寿命が延びて耐久性が向上する。
また、前記カード用収納シェルを絶縁本体に閉蓋させてロックするロック手段が、金属製のホールドダウンに設けられたロック用係合部と、金属製材で形成されるカード用収納シェルに設けられたロック用係合部とでなり、両係合部が金属製で形成されるのでロック作用が確実であって製品寿命が延びる。
更に、ホールドダウンにロック用係合部と回転軸受け部を纏めて一体に形成するので、部品点数の削減となってコストの低減となる。
前記ロック用係合部は、バネ性を有することを含むので、カード用収納シェルを閉蓋方向に回転させながらそのままロックすることができる。よって、ワンタッチでロックすることとなり操作性の向上となる。
前記ホールドダウンの一部が、絶縁本体の収納部における側壁の一部として兼用させることで、絶縁本体の合成樹脂製材料の節約となってコスト低減となる。
【発明を実施するための最良の形態】
【０００７】
本発明に係るメモリーカード用コネクタ１は、図１に示すように、コンタクト２の一部を埋設して一体にして併設するとともにプリント基板固着用のホールドダウン３の一部を埋設してメモリーカード４用の収納部５ａを有してなる合成樹脂製の絶縁本体５と、該絶縁本体５の一端部で回転自在に連結されて支持されメモリーカード４を収納する収納部６ａを有するカード用収納シェル６とでなる。
【０００８】
図２乃至図３に示すように、前記カード用収納シェル６にメモリーカード４を収納して、そのカード用収納シェル６を前記絶縁本体５に向けて回転軸６ｂを中心にして回転させ閉蓋することで、前記メモリーカード４の接続端子４ａと前記コンタクト２の一端部２ａとが電気的に接続されるメモリーカード用コネクタ１である。
【０００９】
前記コンタクト２は、絶縁本体５の圧入部５ｂにコンタクト中央部が圧入されて、複数本（一例として図では８本）のコンタクトが併設されるものである。このコンタクト２の一端部２ａがメモリーカード４の接続端子４ａに弾性力により当接し、他端部２ｂが実装されるプリント基板に半田付けされ、これにより、前記接続端子４ａとプリント基板の回路とが電気的に接続されるものである。
【００１０】
前記カード用収納シェル６は、例えばステンレス製で金属製である。また、図１（Ｂ）に示すように、一端側の左右端部に回転軸６ｂ，６ｂが一体に形成されている。更に、カード用収納シェル６の他端側の左右両側壁部に、ロック用の係合部である係合突起６ｃが外側にハーフパンチにして一体に形成されている。
【００１１】
図４に示すように、全体的に細長い板で例えばステンレス製等の金属製のホールドダウン３（３ａ，３ｂ）において、その長手方向の一端側に前記カード用収納シェル６をロックするロック用係合部である係合孔３ｃを穿孔して設ける。
【００１２】
また、前記ホールドダウン３の他端部に、前記カード用収納シェル６を回転自在に支持する回転軸受け部である軸受け孔３ｄを一体に設ける。ホールドダウン３の中央部には、プリント基板に半田付けしてメモリーカード用コネクタ１を固定するための固着板３ｅが屈曲加工されて一体に設けられている。
【００１３】
前記ホールドダウン３におけるロック用係合孔３ｃは、前記固着板３ｅからの距離があって板厚も薄いので、弾性腕を有してバネ性がある。また、このホールドダウン３は、その長手方向の板部分３ｆの内側面の一部が、絶縁本体５にその一部を埋設して固着された場合に、絶縁本体５のメモリーカード用の収納部５ａを形成する側壁の一部となっている。
【００１４】
前記カード収納用シェル６が、絶縁本体５の収納部５ａに回転して重ね合わされることで、メモリーカード４の収納空間が形成されるものであり、前記ホールドダウン３の板部分３ｆが前記収納空間（５ａ，６ａ）の側壁部の一部となるものである。よって、ホールドダウン３によって側壁の一部が形成されるので、絶縁本体５の側壁部分の一部を省くことができるようになり、絶縁材料を減らすことができる。
【００１５】
なお、前記係合孔３ｃと、これに係合する係合突起６ｃとの係合関係は、一実施例であり、突起とそれ用の係合孔との関係は逆であっても良い。これは、前記回転軸部分での軸と軸受け部との関係についても同じである。
【００１６】
また、前記シェル６若しくはホールドダウン３に対して一体にして金属製で、係合孔若しくは係合突起を形成していることに対して、これに限らず、別体で形成しても良いが、コスト低減及び工数低減を図るためにも一体に形成することが好ましいものである。
【００１７】
以上のようにして形成されるメモリーカード用コネクタ１であるので、前記シェル６の回転部分は、回転軸６ｂと、軸受け孔３ｄとがいずれも金属製なので、耐久性が向上し、寿命が延びるものである。また、前記シェル６の回転させて閉蓋させた後のロック部は、ロック用係合部の係合孔３ｃと、係合突起６ｃとが金属製で形成されているので、摩耗が少なく耐久性が向上し寿命が延びるものである。
【図面の簡単な説明】
【００１８】
【図１】本発明に係るメモリーカード用コネクタ１における、絶縁本体５とホールドダウン３との分解斜視図（Ａ）と、絶縁本体５とカード用収納シェル６との分解斜視図（Ｂ）とである。
【図２】同本発明のメモリーカード用コネクタ１の、平面図（Ａ）、側面図（Ｂ），（Ｃ）、Ｘ−Ｘ線に沿った断面図（Ｄ）である。
【図３】同本発明に係るメモリーカード用コネクタ１の、カード用収納シェル６を開いた状態の斜視図（Ａ）と、同シェル６を閉じた状態の斜視図（Ｂ）とである。
【図４】同本発明のメモリーカード用コネクタ１におけるホールドダウン３（３ａ，３ｂ）の構造を示す説明図である。
【図５】従来例に係るメモリーカード用コネクタの背面図（Ａ）、平面図（Ｂ）、側面図（Ｃ）、底面図（Ｄ）である。
【図６】同従来例におけるメモリーカード用コネクタのヒンジ部２１を示す拡大詳細図である。
【符号の説明】
【００１９】
１          メモリーカード用コネクタ、
２          コンタクト、                  ２ａ        一端部、
２ｂ        他端部、
３，３ａ，３ｂ                  ホールドダウン、
３ｃ        係合孔、                  
３ｄ        回転軸受け部である軸受け孔、
３ｅ        固着板、                      ３ｆ        板部分、
４          メモリーカード、              ４ａ        接続端子、
５          絶縁体、                      ５ａ        収納部、
５ｂ        圧入部、                        
６          カード用収納シェル、          ６ａ        収納部、
６ｂ        回転軸、                      ６ｃ        係合部である係合突起。
【図１】
2008016321.tif 000003
【図２】
2008016321.tif 000004
【図３】
2008016321.tif 000005
【図４】
2008016321.tif 000006
【図５】
2008016321.tif 000007
【図６】
2008016321.tif 000008